(57)【要約】【課題】緩衝材使用量を削減し、且つ緩衝材は金型を用いずに安価な作製手段を用いることで安価な梱包箱を提供すること。【解決手段】物品を輸送または保管するために梱包した梱包箱であって、梱包箱は、箱本体、緩衝用のブロック、天板および／または底板からなり、該天板および／または該底板には外側から複数の切欠と、各切欠の奥側にスリットを設け、該ブロックには一端から溝部を設けるとともに、該溝部の壁部を該溝部に突出させることによって鍵部を設け、該溝部の開口端を該切欠に差し込み、該ブロックの鍵部を該スリットに差し込み契合し固定する。【選択図】  図１
2008247434.tif 000002
【特許請求の範囲】
【請求項１】
物品を輸送または保管するために梱包した梱包箱であって、梱包箱は、箱本体、緩衝用のブロック、天板および／または底板からなり、該天板および／または該底板には外側から複数の切欠と、各切欠の奥側にスリットを設け、該緩衝用のブロックには一端から溝部を設けるとともに、該溝部の開口部付近の壁部を該溝部に突出させることによって鍵部を設け、該溝部の開口端を該切欠に差し込み、該ブロックの鍵部を該スリットに差し込み契合し固定することを特徴とする梱包箱。
【発明の詳細な説明】
【技術分野】
【０００１】
本発明は物品を輸送または保管するために梱包した梱包箱に関するものである。
【背景技術】
【０００２】
従来、梱包箱のコストダウンを図るために、緩衝材の使用量を削減している。
梱包箱底面部と底面部の４辺から立上げ形成された立上げ部を有するトレイと、該トレイの各隅部に別々に配置された緩衝材を用いることで緩衝材の使用量を削減している(特許文献１)。
また大小異なる連続した丸穴を設けた段ボールシートに、凸部を形成した緩衝材を挿入し、指定方向へ移動させ固定した部材を用いことで、緩衝材の使用量を削減している（特許文献２）。
更に段ボール製包装箱の底面内側に折り込むフラップに、包装箱の四隅で各一対の位置決め片を切起しにより形成し、切起した状態で発泡体製のコーナーパットを収納することで、緩衝材の使用量を削減している（特許文献３）。
【０００３】
【特許文献１】特開２００２−１０４３９５号公報
【特許文献２】実開平５−２６８７３号公報
【特許文献３】実開平５−８６８１６号公報
【発明の開示】
【発明が解決しようとする課題】
【０００４】
しかしながら、特許文献１に記載の方法では、緩衝用発泡体底面に凸形状の突出部を設けているため、金型にて成形する必要があり、緩衝材のコストアップを招くという課題がある。また特許文献２に記載の方法でも、緩衝用発泡体底面に凸形状の突出部を設けているため、金型にて成形する必要があり緩衝材のコストアップを招くと共に、該凸形状の突出部を大小異なる連続した丸穴に挿入し移動するため、該突出部の破損を招き易いという課題がある。更に特許文献３では、段ボール底面に位置決め用切起しを設け、この切起しで緩衝用コーナーパッドを固定しているため、底面にしか用いることができないという課題がある。
【課題を解決するための手段】
【０００５】
本発明は上記課題を解決するための手段として、物品を輸送または保管するために梱包した梱包箱であって、梱包箱は、箱本体、緩衝用のブロック、天板および／または底板からなり、該天板および／または該底板には外側から複数の切欠と、各切欠の奥側にスリットを設け、該ブロックには一端から溝部を設けるとともに、該溝部開口部付近の壁部を該溝部に突出させることによって鍵部を設け、該溝部の開口端を該切欠に差し込み、該ブロックの鍵部を該スリットに差し込み契合し固定することが望ましい。
【発明の効果】
【０００６】
従来の発泡体からなる緩衝用ブロックに比べ、発泡体の使用量が少ないので材料費の削減ができることと、金型を用いずに切削加工で加工できるので加工費の削減ができるという効果を奏する。
【発明を実施するための最良の形態】
【０００７】
〔外箱〕
本発明に係る外箱は、被梱包物の重量や大きさにより、市販のＡフルート、Ｂフルート、Ｃフルート、およびＢフルートを用いた両面段ボール、複両面段ボール、および複複両面段ボール何れも用いることができ、被梱包物の重量・大きさに合わせ適宜選ぶことができる。
【０００８】
〔天板/底板の部材〕
本発明に係る天板/底板の部材は、上記外箱と同様に市販のＡフルート、Ｂフルート、Ｃフルート、およびＢフルートを用いた両面段ボール、複両面段ボール、および複複両面段ボール何れも用いることができる。
【０００９】
〔緩衝材〕
本発明に係る緩衝材は、ポリスチレンフォーム、軟質塩ビフォーム、軟質ウレタンフォーム、ポリエチレンフォームなど市販の発泡体を用いることができる。入手性、加工性、および強度の面からから密度０．２０ｇ／ｃｍ３〜０．０２５ｇ／ｃｍ３のポリエチレンフォームが望ましい。
【実施例】
【００１０】
〔実施例１〕
図１に示したように、被梱包物(400)を発泡ポリエチレンからなる底部緩衝材(501、502)に収め、該被梱包物(400)の上部を、天板(100)の緩衝用のブロック(301)により移動しないように押さえている。
図３ａ、図３ｂに示したように、天板(100)は、段ボール(200)の４箇所に発泡ポリエチレンからなる緩衝用ブロック(301)を４個差し込み固定したものである。
図４ａ、図４ｂに示したように、該段ボール(200)は、略矩形状の切欠(211)と、各切欠の奥側に略矩形状のスリット(212)を設けている。
図５ａ、図５ｂに示したように、発泡ポリエチレンから成る該緩衝用ブロック(301)は、略矩状であって、一端から略矩状の溝部(311)を設けるとともに、該溝部(311)の開口部付近の壁部を該溝部に突出させることによって設けた鍵部(312)からなっている。
該溝部(311)を上記段ボールの各切欠(211)に差し込み、該鍵部(312)を上記スリット(212)に差し込み、契合し固定する。
【００１１】
〔実施例２〕
図６ａおよび図６ｂに示したように、実施例１に対し緩衝用のブロックの固定を頑丈にしたものである。一対の緩衝用のブロック(350、370)を段ボール(250)に差し込み該被梱包物(400)を固定している。
図７ａおよび図７ｂに示したように、発泡ポリエチレンから成る該緩衝用のブロックＡ(370)は、略矩形状であって、一端から略矩状の溝部(371)を設け、該溝部の端部に凹部(372)を設けている。
図８ａおよび図８ｂに示したように、発泡ポリエチレンから成る該緩衝用のブロックＢ(350)は、略矩形状であって、一端から略矩状の溝部(351)を設けるとともに、該溝部の開口部付近の壁部を該溝部に突出させることにより鍵部(352)を設けている。また該緩衝用ブロックＢ(350)には、上記緩衝用ブロックＡ(370)の凹部(372)に勘合する凸部(353)を設けている。
図９ａおよび図９ｂに示したように、段ボール(250)には、前記緩衝用のブロック(350)を差し込むための略矩状の切欠(261)とその奥側に略矩状のスリット(262)を設け、前記緩衝用のブロックＡ(370)を差し込むための略矩状の切欠(271)を設けている。
【００１２】
〔従来例１〕
図２に示したように、被梱包体(400)を発泡ポリエチレンからなる底部緩衝材(501、502)に収め、該被梱包物(400)の上部を、発泡ポリエチレンからなる上部緩衝材(391、392)により移動しないように押さえている。
【００１３】
従来例１での上部緩衝材の体積を１００としたとき、本実施例１天板の緩衝用ブロック(301)４個の体積は２７と約１／４となった。同様に本実施例２の緩衝用のブロック(350、370)４対の体積は４８と約１／２となった。前記緩衝用のブロック(301、350、370)何れも切削加工で加工できる形状であり、金型を用いないため安価に作製することができる。
【図面の簡単な説明】
【００１４】
【図１】本発明の実施例１で、非梱包物と緩衝用のブロックに関する説明図である。
【図２】従来例に関する説明図である。
【図３ａ】本発明の実施例１で、天板に関する斜視図である。
【図３ｂ】本発明の実施例１で、天板に関する六面図である。
【図４ａ】本発明の実施例１で、天板用段ボールに関する斜視図である。
【図４ｂ】本発明の実施例１で、天板用段ボールに関する六面図である。
【図５ａ】本発明の実施例１で、天板用緩衝用のブロックに関する斜視図である。
【図５ｂ】本発明の実施例１で、天板用緩衝用のブロックに関する六面図である。
【図６ａ】本発明の実施例２で、天板に関する斜視図である。
【図６ｂ】本発明の実施例２で、天板に関する六面図である。
【図７ａ】本発明の実施例２で、天板用緩衝用のブロックに関する斜視図である。
【図７ｂ】本発明の実施例２で、天板用緩衝用のブロックに関する六面図である。
【図８ａ】本発明の実施例２で、天板用緩衝用のブロックに関する斜視図である。
【図８ｂ】本発明の実施例２で、天板用緩衝用のブロックに関する六面図である。
【図９ａ】本発明の実施例２で、天板用段ボールに関する斜視図である。
【図９ｂ】本発明の実施例２で、天板用段ボールに関する六面図である。
【図１０】特許文献１に掲載の代表図面である。
【図１１】特許文献２に掲載の代表図面である。
【図１２】特許文献３に掲載の代表図面である。
【符号の説明】
【００１５】
100、150  天板
200、250、天板用段ボール
301、350、370  天板用緩衝用のブロック
400  被梱包物
501、502  底部緩衝材
【図１】
2008247434.tif 000003
【図２】
2008247434.tif 000004
【図３ａ】
2008247434.tif 000005
【図３ｂ】
2008247434.tif 000006
【図４ａ】
2008247434.tif 000007
【図４ｂ】
2008247434.tif 000008
【図５ａ】
2008247434.tif 000009
【図５ｂ】
2008247434.tif 000010
【図６ａ】
2008247434.tif 000011
【図６ｂ】
2008247434.tif 000012
【図７ａ】
2008247434.tif 000013
【図７ｂ】
2008247434.tif 000014
【図８ａ】
2008247434.tif 000015
【図８ｂ】
2008247434.tif 000016
【図９ａ】
2008247434.tif 000017
【図９ｂ】
2008247434.tif 000018
【図１０】
2008247434.tif 000019
【図１１】
2008247434.tif 000020
【図１２】
2008247434.tif 000021